(57)【要約】【課題】カメラに備えられている様々な機能についてその対象とする撮影画像上の領域の設定を良好な操作性の下で行えるようにする。【解決手段】デジタルカメラ１に備えられている機能毎に対応付けて個別に設けられていて該機能の動作方式の選択をするために各々操作される、ＡＦ／ＭＦボタン１０、スポットボタン１１、及び露出補正ボタン１２からなる機能選択部のいずれか一つと、移動の指示を行なうために操作される十字キーボタン５とが同時に操作されたときには、画像モニタ３に表示させている画像を構成する一部分の領域であって、機能選択部に対する操作に基づいて選択がされた動作方式に関係する該領域についての位置を示す表示を該画像上で移動させる。【選択図】　　　　図１
2004080477.tif 000002
【特許請求の範囲】
【請求項１】
被写体像を撮像して該被写体像が表現されている画像を記録するカメラであって、
前記カメラに備えられている機能毎に対応付けて個別に設けられ、該機能の動作方式の選択をするために操作される機能選択手段と、
前記画像を表示する表示手段と、
前記画像を構成する一部分の領域であって前記機能選択手段に対する操作に基づいて選択がされた前記動作方式に関係する該領域についての位置を示す表示を前記表示手段に表示されている該画像上に表示させる表示制御手段と、
移動の指示を行なうために操作される移動指示手段と、
を有し、
前記表示制御手段は、前記機能選択手段と前記移動指示手段とが同時に操作されたときには、前記表示手段に表示させている前記領域についての位置を示す表示を該表示手段に表示されている前記画像上で移動させる、
ことを特徴とするカメラ。
【請求項２】
前記機能選択手段に対する操作に基づいて合焦機能における合焦方式の選択が行われ、
前記合焦方式として自動合焦が選択されているときにおける前記領域は、自動合焦制御の基礎となる情報の取得の対象である、
ことを特徴とする請求項１に記載のカメラ。
【請求項３】
前記合焦方式として手動による合焦が選択されているときには、前記表示制御手段は、前記移動指示手段に対する操作の有無に関わらず、前記表示手段に表示させている前記領域についての位置を示す表示の前記画像上での表示位置を保持させることを特徴とする請求項２に記載のカメラ。
【請求項４】
前記機能選択手段に対する操作に基づいて測光機能における測光方式の選択が行われ、
前記測光方式として前記画像における一部分の測光が選択されているときにおける前記領域は、該測光の対象となる該一部分である、
ことを特徴とする請求項１に記載のカメラ。
【請求項５】
前記測光方式として前記画像の全体を測光領域とする測光方式が選択されているときには、前記表示制御手段は、前記移動指示手段に対する操作の有無に関わらず、前記表示手段に表示させている前記領域についての位置を示す表示の前記画像上での表示位置を保持させることを特徴とする請求項４に記載のカメラ。
【請求項６】
前記機能選択手段に対する操作に基づいて撮影時の露出補正値の変更可が選択されているときにおける前記領域は、前記画像についての輝度分布の分析機能における分析の対象とする部分画像が表されている領域である、ことを特徴とする請求項１に記載のカメラ。
【請求項７】
前記表示制御手段は、前記画像全体についての輝度分布を前記表示手段に表示させると共に、前記部分画像についての輝度分布を該画像全体についての輝度分布に重ねて該表示手段に表示させることを特徴とする請求項６に記載のカメラ。
【請求項８】
前記機能選択手段に対する操作に基づいて、合焦機能における合焦方式の選択、測光機能における測光方式の選択、または撮影時の露出補正の変更可否の選択が行われ、
前記領域は、
前記合焦方式として自動合焦が選択されているときには自動合焦制御の基礎となる情報の取得の対象であり、
前記測光方式として前記画像における一部分の測光が選択されているときには該測光の対象となる該一部分であり、
前記撮影時の露出補正の変更可が選択されているときには画像についての輝度分布の分析機能における分析の対象とする該部分画像が表されている領域であり、
前記機能選択手段に対する操作に基づく選択が複数なされているときには、前記表示制御手段は、前記動作方式に与えられている優先順位に基づき、該選択に係る該優先順位が低い動作方式に関係する前記領域の位置を該選択に係る該優先順位が高い動作方式に関係する前記領域の位置に一致させて該位置を示す表示を前記表示手段に表示させる、
ことを特徴とする請求項１に記載のカメラ。
【請求項９】
前記優先順位は、優先順位の高い順に、合焦機能における合焦方式、測光機能における測光方式、そして撮影時の露出補正値の変更可否の順であることを特徴とする請求項８に記載のカメラ。
【請求項１０】
前記表示制御手段は、前記機能選択手段に対する操作に基づく選択に係る動作方式に関係する領域毎に、該領域の位置を示す表示の表現形式を異ならせることを特徴とする請求項８または９に記載のカメラ。
【請求項１１】
前記表示制御手段は、前記機能選択手段に対する操作に基づく選択に係る動作方式に関係する領域毎に、該領域の位置を示す表示の色彩を異ならせることを特徴とする請求項１０に記載のカメラ。
【請求項１２】
前記表示制御手段は、前記撮影時の露出補正値の変更可の選択をするための操作が前記機能選択手段に対して行われている間、前記画像についての輝度分布を前記表示手段に表示させることを特徴とする請求項８から１１までのうちのいずれか一項に記載のカメラ。
【請求項１３】
前記領域についての位置を示す表示の表示位置を前記表示手段に表示されている該画像上において予め定められている初期状態の位置へと復帰させる指示を行うために操作される復帰指示手段を更に有し、
前記表示制御手段は、前記機能選択手段と前記復帰指示手段とが同時に操作されたときには、該機能選択手段に対する操作に基づく選択に係る動作方式に関係する前記領域についての位置を示す表示の表示位置を前記初期状態の位置へと復帰させる、
ことを特徴とする請求項１から１２までのうちのいずれか一項に記載のカメラ。
【請求項１４】
前記領域についての位置を示す表示の表示位置を前記表示手段に表示されている該画像上において予め定められている初期状態の位置へと復帰させる指示を行うために操作される復帰指示手段を更に有し、
前記表示制御手段は、前記機能選択手段と前記復帰指示手段とが同時に操作されたときには、前記優先順位に基づき、該機能選択手段への操作に基づいて選択される前記動作方式に関係する前記領域についての位置を示す表示の表示位置と、該動作方式よりも該優先順位が低い動作方式に関係する前記領域についての位置を示す表示の表示位置とを共に前記初期状態の位置へと復帰させる、
ことを特徴とする請求項８から１２までのうちのいずれか一項に記載のカメラ。
【請求項１５】
前記機能選択手段は、前記カメラを使用して撮影を行うために該カメラを構えた撮影者から見て該カメラにおける左側部近傍に設置され、
前記移動指示手段は、前記撮影者から見て前記カメラにおける右側部近傍に設置される、
ことを特徴とする請求項１から１４までのうちのいずれか一項に記載のカメラ。
【請求項１６】
被写体像を撮像して該被写体像が表現されている画像を記録するカメラに設けられている、該画像の表示を行う表示部での表示を制御する方法であって、
前記画像を構成する一部分の領域であって、前記カメラに備えられている機能毎に対応付けて個別に設けられていて該機能の動作方式の選択をするために操作される機能選択部に対する操作に基づいて選択がされた動作方式に関係する該領域についての位置を示す表示を、前記表示部に表示されている該画像上に表示させ、
前記機能選択部と、移動の指示を行なうために操作される移動指示部とが同時に操作されたときには、前記表示部に表示させている前記領域についての位置を示す表示を該表示部に表示されている前記画像上で移動させる、
ことを特徴とする表示制御方法。
【発明の詳細な説明】
【０００１】
【発明の属する技術分野】
本発明は、被写体像を撮像して該被写体像が表現されている画像を記録するカメラで実施される技術に関し、特にカメラに備えられている機能を利用するときの操作性を向上させる技術に関する。
【０００２】
【従来の技術】
昨今のカメラに装備されているＡＦ（Ａｕｔｏ　Ｆｏｃｕｓ：自動合焦）機能は、撮影対象の画像における一部の領域に表されている被写体までの距離に基づいて合焦制御が行われる。また、ＡＥ（Ａｕｔｏ　Ｅｘｐｏｓｕｒｅ　：自動露出補正）機能も、特に測光方式としてスポット測光を行う場合においては、撮影対象の画像における特定の領域の露出値に基づいた補正の制御が行われる。
【０００３】
これらの機能における制御の基準となる領域として、その画像の中心部分の適当な広さの領域が予め設定されており、その領域の位置をユーザが変更することのできないカメラも少なくない。その一方で、ユーザがこの領域の位置を画像内で選択し、あるいは任意に設定することの可能なカメラもある。
【０００４】
ところで、この領域の位置を画像内で選択あるいは任意に設定するカメラにおいてはこの選択・設定をユーザがカメラに指示するための手段を専用に設ける必要がある。この手段として、例えば十字キースイッチ等の専用ボタンが設けられている。また、ユーザが光学ファインダを覗いて被写体像を見ているときの視線の方向を検出する手段を備え、この検出結果に基づいて前述した領域の位置の設定を行うという技術も知られている。
【０００５】
ところで、従来のいわゆる銀塩カメラでは、画像の特定の領域から得られる情報に基づいた機能として前述したＡＦ機能やＡＥ機能が挙げられていた。一方、普及の進んでいるデジタルカメラにおいてはカメラ自身で多種多様の画像処理を行えるので、画像の一部分の領域から得られる情報に基づいた機能として、ＡＦ機能やＡＥ機能以外の機能が提案されている。このような新たな機能のためにも、画像内の領域の自由な位置設定が必要となる。
【０００６】
【発明が解決しようとする課題】
前述した視線検出による領域設定の手法では、ユーザが光学ファインダを覗く必要があるが、デジタルカメラには、光学ファインダを使用せず、カメラの背面に設けられている画像表示用のＬＣＤ（Ｌｉｑｕｉｄ　Ｃｒｙｓｔａｌ　Ｄｉｓｐｌａｙ）に表示されている撮像画像を観察するという撮影形態があるため、この手法を採用することはできない。
【０００７】
また、デジタルカメラにおいては、前述したように、様々な機能についてその対象とする領域の設定を行えるようにすることが望まれるが、カメラ筐体のスペースについての制約や、操作性の観点を考慮すると、ユーザからの指示をカメラに与えるためのボタンをむやみに増やすことは得策といえない。
【０００８】
以上の問題を鑑み、様々な機能についてその対象とする撮影画像上の領域の設定を良好な操作性の下で行えるようにすることが本発明が解決しようとする課題である。
【０００９】
【課題を解決するための手段】
本発明は、被写体像を撮像して該被写体像が表現されている画像を記録するカメラであって、前記カメラに備えられている機能毎に対応付けて個別に設けられ、該機能の動作方式の選択をするために操作される機能選択手段と、前記画像を表示する表示手段と、前記画像を構成する一部分の領域であって前記機能選択手段に対する操作に基づいて選択がされた前記動作方式に関係する該領域についての位置を示す表示を前記表示手段に表示されている該画像上に表示させる表示制御手段と、移動の指示を行なうために操作される移動指示手段と、を有し、前記表示制御手段は、前記機能選択手段と前記移動指示手段とが同時に操作されたときには、前記表示手段に表示させている前記領域についての位置を示す表示を該表示手段に表示されている前記画像上で移動させるように構成することによって前述した課題を解決する。
【００１０】
上記の構成によれば、機能選択手段と移動指示手段との同時操作によって、カメラの有する機能におけるどの動作方式に関係する画像上の部分領域をどのように画像上で移動させるかというユーザからの指示が特定される。従って、ユーザは「何をどのように移動させる」という簡単な形式でこの指示のための組み合わせ操作法を案出することができるので、様々な機能毎にその対象とする撮影画像上の領域の設定を良好な操作性の下で行うことができる。
【００１１】
しかも、機能選択手段と移動指示手段とが同時に操作されたときに、表示手段に表示させている、カメラに備えられている機能の動作方式に関係する該領域についての位置を示す表示を該表示手段に表示されている画像上で移動させるようにしたので、ユーザからの指示をカメラに与えるための手段を新たに設ける必要がない。
【００１２】
なお、上述した本発明に係るカメラにおいて、前記機能選択手段に対する操作に基づいて合焦機能における合焦方式の選択が行われ、前記合焦方式として自動合焦が選択されているときにおける前記領域は、自動合焦制御の基礎となる情報の取得の対象であるようにすることができる。
【００１３】
また、このとき、前記合焦方式として手動による合焦が選択されているときには、前記表示制御手段は、前記移動指示手段に対する操作の有無に関わらず、前記表示手段に表示させている前記領域についての位置を示す表示の前記画像上での表示位置を保持させるようにすることができる。
【００１４】
こうすることにより、手動による合焦を行っても、その後に自動合焦を行うときに自動合焦制御の基礎となる情報の取得の対象とする領域の設定を改めて行う必要がない。
また、前述した本発明に係るカメラにおいて、前記機能選択手段に対する操作に基づいて測光機能における測光方式の選択が行われ、前記測光方式として前記画像における一部分の測光が選択されているときにおける前記領域は、該測光の対象となる該一部分であるようにすることができる。
【００１５】
また、このとき、前記測光方式として前記画像の全体を測光領域とする測光方式が選択されているときには、前記表示制御手段は、前記移動指示手段に対する操作の有無に関わらず、前記表示手段に表示させている前記領域についての位置を示す表示の前記画像上での表示位置を保持させるようにすることができる。
【００１６】
こうすることにより、画像の全体を測光領域とする測光を行っても、その後に画像における一部分の測光を行うときにその測光の基礎となる情報の取得の対象とする領域の設定を改めて行う必要がない。
また、前述した本発明に係るカメラにおいて、前記機能選択手段に対する操作に基づいて撮影時の露出補正値の変更可が選択されているときにおける前記領域は、前記画像についての輝度分布の分析機能における分析の対象とする部分画像が表されている領域であるようにすることができる。
【００１７】
また、このとき、前記表示制御手段は、前記画像全体についての輝度分布を前記表示手段に表示させると共に、前記部分画像についての輝度分布を該画像全体についての輝度分布に重ねて該表示手段に表示させるようにすることができる。
こうすることにより、画像全体についての輝度分布と部分画像についての輝度分布とをユーザが直接対比して見ることができ、露出補正値の設定の検討等において便利である。
【００１８】
また、前述した本発明に係るカメラにおいて、前記機能選択手段に対する操作に基づいて、合焦機能における合焦方式の選択、測光機能における測光方式の選択、または撮影時の露出補正の変更可否の選択が行われ、前記領域は、前記合焦方式として自動合焦が選択されているときには自動合焦制御の基礎となる情報の取得の対象であり、前記測光方式として前記画像における一部分の測光が選択されているときには該測光の対象となる該一部分であり、前記撮影時の露出補正の変更可が選択されているときには画像についての輝度分布の分析機能における分析の対象とする該部分画像が表されている領域であり、前記機能選択手段に対する操作に基づく選択が複数なされているときには、前記表示制御手段は、前記動作方式に与えられている優先順位に基づき、該選択に係る該優先順位が低い動作方式に関係する前記領域の位置を該選択に係る該優先順位が高い動作方式に関係する前記領域の位置に一致させて該位置を示す表示を前記表示手段に表示させるようにすることができる。
【００１９】
こうすることにより、動作方式毎に個別に該動作方式に関係する領域についての位置を設定する場合に比べ、それらを同一の位置とする場合においては設定のための操作量を削減することができる。
なお、このとき、前記優先順位は、優先順位の高い順に、合焦機能における合焦方式、測光機能における測光方式、そして撮影時の露出補正値の変更可否の順であるようにすることができる。
【００２０】
また、このとき、前記表示制御手段は、前記機能選択手段に対する操作に基づく選択に係る動作方式に関係する領域毎に、該領域の位置を示す表示の表現形式を異ならせるようにすることができる。
ここで、例えば、前記表示制御手段は、前記機能選択手段に対する操作に基づく選択に係る動作方式に関係する領域毎に、該領域の位置を示す表示の色彩を異ならせるようにすることができる。
【００２１】
こうすることにより、表示手段に同時に表示されている各動作方式に関係する領域の識別が容易になる。
また、前述した本発明に係るカメラにおいて、前記領域についての位置を示す表示の表示位置を前記表示手段に表示されている該画像上において予め定められている初期状態の位置へと復帰させる指示を行うために操作される復帰指示手段を更に有し、前記表示制御手段は、前記機能選択手段と前記復帰指示手段とが同時に操作されたときには、該機能選択手段に対する操作に基づく選択に係る動作方式に関係する前記領域についての位置を示す表示の表示位置を前記初期状態の位置へと復帰させるようにすることができる。
【００２２】
こうすることにより、動作方式に関係する領域についての位置を示す表示の表示位置を簡単に且つ素早く初期の位置へ戻すことができる。
なお、前述した本発明に係るカメラにおいて、前記領域についての位置を示す表示の表示位置を前記表示手段に表示されている該画像上において予め定められている初期状態の位置へと復帰させる指示を行うために操作される復帰指示手段を更に有し、前記表示制御手段は、前記機能選択手段と前記復帰指示手段とが同時に操作されたときには、前記優先順位に基づき、該機能選択手段への操作に基づいて選択される前記動作方式に関係する前記領域についての位置を示す表示の表示位置と、該動作方式よりも該優先順位が低い動作方式に関係する前記領域についての位置を示す表示の表示位置とを共に前記初期状態の位置へと復帰させるようにすることができる。
【００２３】
こうすることにより、動作方式に関係する領域についての位置を示す表示の表示位置を、優先順位に基づき、簡単に且つ素早く初期の位置へ戻すことができる。
また、前述した本発明に係るカメラにおいて、前記機能選択手段は、前記カメラを使用して撮影を行うために該カメラを構えた撮影者から見て該カメラにおける左側部近傍に設置され、前記移動指示手段は、前記撮影者から見て前記カメラにおける右側部近傍に設置されるようにすることができる。
【００２４】
こうすることにより、ユーザは機能選択手段を左手の指で操作し、また移動指示手段を右手の指で操作することが容易であるので、機能選択手段と移動指示手段との同時操作を簡単に行うことができるようになる。
【００２５】
【発明の実施の形態】
以下、本発明の実施の形態を図面に基づいて説明する。
図１は本発明を実施するデジタルカメラ１の外観図である。
図１において、コントロールパネル２はデジタルカメラ１に対してなされている撮影動作の設定状況を示す設定情報やデジタルカメラ１の現在の動作の状態を示す状態情報が表示される表示部であり、デジタルカメラ１の筐体の上面に配置されている
画像モニタ３は、デジタルカメラ１内に設けられている撮像素子で撮像中の画像のスルー画像としての表示や、デジタルカメラ１における画像データ記録媒体であるメモリカードに記録されたデータによって表現されている撮影済みの画像の再生表示を行うことを主な用途とする表示部であり、また、デジタルカメラ１に各種の設定の確認／変更を行うために使用されるメニュー画面の表示も行う。画像モニタ３はデジタルカメラ１の筐体の背面に配置されているので、デジタルカメラ１のユーザは撮影のためにデジタルカメラ１を保持した状態でこの画像モニタ３を視認することができる。
【００２６】
モニタ切替ボタン４は、画像モニタ３の動作／非動作の切り替えの指示を行うときにユーザによって操作されるボタンである。
十字キーボタン５は、画像モニタ３で各種の項目表示が行われているときの項目の選択の指示や表示項目の変更の指示を行うときにユーザによって操作されるボタンであり、また、画像モニタ３に表示される後述するターゲット表示を移動させるためにも操作される。
【００２７】
ＯＫ／メニューボタン６は、メニュー画面を画像モニタ３に表示させるため、あるいはユーザからの指示の内容を確定させるためにユーザによって操作されるボタンである。
なお、モニタ切替ボタン４、十字キーボタン５、及びＯＫ／メニューボタン６はユーザが撮影のためにデジタルカメラ１を手で保持した状態での右手の親指による押下操作を想定し、デジタルカメラ１の背面側から見て右側部近傍、本実施形態ではいずれもデジタルカメラ１の筐体の背面のやや右寄りの位置に配置されている。
【００２８】
ジョグダイアル７は、十字キーボタン５と同様に、画像モニタ３で各種の項目表示が行われているときの項目の選択の指示や表示項目の変更の指示を行うときにユーザによって回転操作されるダイアルである。このジョグダイアル７もユーザが撮影のためにデジタルカメラ１を手で保持した状態での右手の親指による回転操作を想定し、デジタルカメラ１の背面側から見て右側部近傍、本実施形態ではデジタルカメラ１の筐体の上面の右寄り且つ背面寄りの位置に配置されている。
【００２９】
レリーズボタン８は、デジタルカメラ１に撮影動作を行わせることを指示するために操作されるボタンであり、設定に応じて撮影動作の直前に行われるＡＦ／ＡＥ機能の開始指示も兼ねている。レリーズボタン８は、ユーザが撮影のためにデジタルカメラ１を手で保持した状態での右手の示指（人差し指）による押下操作を想定し、デジタルカメラ１の背面側から見て右側部近傍、本実施形態ではデジタルカメラ１の筐体の上面の右寄りの位置に配置されている。
【００３０】
鏡胴９は撮影レンズを保持するものであり、デジタルカメラ１の筐体の正面側に配置されている。
ＡＦ／ＭＦボタン１０は、合焦の手法の設定を行うための動作（合焦方式設定モード）にデジタルカメラ１の動作状態を切り替えるために操作されるボタンである。
【００３１】
スポットボタン１１は、ＡＥ機能における測光方式の設定を行うための動作（測光方式設定モード）にデジタルカメラ１の動作状態を切り替えるために操作されるボタンである。
露出補正ボタン１２は、露出の補正値の設定を行うための動作（露出補正値設定モード）にデジタルカメラ１の動作状態を切り替えるために操作されるボタンである。
【００３２】
なお、ＡＦ／ＭＦボタン１０、スポットボタン１１、及び露出補正ボタン１２はユーザが撮影のためにデジタルカメラ１を手で保持した状態での左手の指による押下操作を想定し、デジタルカメラ１の背面側から見て左側部近傍、本実施形態ではいずれもデジタルカメラ１の筐体の背面側から見て左側の側面に配置されている。
【００３３】
次に図２について説明する。同図は図１に示したデジタルカメラ１の内部構成を示している。
図２においてコントロールパネル２及び画像モニタ３は図１に示したものと同一のものである。
【００３４】
撮影レンズ２１は鏡胴９に保持されており、被写体像をＣＣＤ２２の表面に結像させる。
ＣＣＤ（Ｃｈａｒｇｅ　Ｃｏｕｐｌｅｄ　Ｄｅｖｉｃｅ　）２２は、撮影レンズ２１の作用によって結像された被写体像を光電変換して被写体像が表されている画像を表現している電気信号を出力する撮像素子である。
【００３５】
Ａ／Ｄ変換部２３は、ＣＣＤ２２から出力されたアナログ信号である電気信号をデジタルデータである画像データに変換するアナログ−デジタル変換を行う。
映像処理部２４は、Ａ／Ｄ変換部２３から出力される画像データに対してホワイトバランスやγ補正等の補正処理を施す。また、ＡＦ機能を実現するための取得画像のコントラスト量検出処理や、後述するヒストグラム表示のための取得画像の輝度分布取得処理なども行われる。
【００３６】
圧縮／伸張処理部２５は、デジタルカメラ１が撮影動作を行うときには映像処理部２４から出力される画像データに対してのデータ圧縮処理を行い、デジタルカメラ１が再生動作を行うときにはメモリカード２６から読み出される画像データに対してのデータ伸張処理を行う。この画像データの圧縮処理及び伸張処理では、例えばＪＰＥＧ（Ｊｏｉｎｔ　Ｐｈｏｔｏｇｒａｐｈｉｃ　Ｅｘｐｅｒｔｓ　Ｇｒｏｕｐ）方式による圧縮処理及び伸張処理等が行われる。
【００３７】
メモリカード２６は、画像データ等の各種データの記録を行う半導体記録媒体であり、デジタルカメラ１に対して着脱可能である。
画像表示処理部２７は、デジタルカメラ１が撮影動作を行うときには映像処理部２４から出力される画像データ、あるいは、デジタルカメラ１が再生動作を行うときには圧縮／伸張処理部２５から読み出される画像データを加工・変換し、これらの画像データで表現されている画像を画像モニタ３に表示させる映像信号を生成して出力する処理をＣＰＵ２８からの指示に従って行う。画像表示処理部２７が映像処理部２４より出力される画像データから映像信号を生成することによって画像モニタ３にスルー画像が表示される。
【００３８】
ＣＰＵ（Ｃｅｎｔｒａｌ　Ｐｒｏｃｅｓｓｉｎｇ　Ｕｎｉｔ　）２８は予め用意されている制御プログラムを実行することによってこのデジタルカメラ１全体の動作制御を行う中央演算装置である。なお、この制御プログラムには後述する各種の処理をＣＰＵ２８に行わせるためのプログラムが含まれており、この制御プログラムをＣＰＵ２８が実行することによって後述する各種の処理がＣＰＵ２８によって行えるようになる。
【００３９】
操作入力部２９はユーザによって操作されるスイッチ群の総称であり、ＣＰＵ２８は操作入力部２９に対してユーザにより行なわれた操作に基づいてそのユーザからの指示を取得する。操作入力部２９には、図１に示したモニタ切替ボタン４、十字キーボタン５、ＯＫ／メニューボタン６、レリーズボタン８、ＡＦ／ＭＦボタン１０、スポットボタン１１、及び露出補正ボタン１２等の各種のボタンへの操作に対応して状態が各々変化するボタンスイッチ、及びジョグダイアル７の回転操作を検出するロータリーエンコーダなどが含まれている。
【００４０】
ＡＥ処理部３０は、自動露出調整のために、ＣＰＵ２８からの指示に従い、Ａ／Ｄ変換部２３から出力される画像データに基づいて被写体輝度を測定して適切な露出条件の設定を行うための情報をＣＰＵ２８に与える。
情報表示処理部３１は、ＣＰＵ２８からの指示に従い、ユーザに提示すべき各種の情報が示されている情報表示画面を画像モニタ３に表示させる映像信号を生成して出力する処理を行う。
【００４１】
デジタルカメラ１はこれらの構成要素を備えて構成されている。
次に、このデジタルカメラ１において、前述したＡＦ／ＭＦボタン１０、スポットボタン１１、及び露出補正ボタン１２が操作されたときの動作について更に説明する。
【００４２】
図３にはＡＦ／ＭＦボタン１０が操作されたとき画像モニタ３の表示が変化する様子が示されている。
図３において、（１）は通常画面の表示を示している。直ちに撮影動作が行えるようにデジタルカメラ１の動作状態の設定がされているときには、この図のように、ＣＣＤ２２によって現在撮像されている画像がスルー画として表示されると共に、このスルー画に重畳させて画面の中央にターゲットマーク４１が表示される。（１）の画面が表示されている状態では、デジタルカメラ１でＡＦ機能を動作させていればスルー画に表されている被写体像をこのターゲットマーク４１に合わせることにより、この被写体像を合焦させるためのＡＦ動作が行われる。
【００４３】
なお、図３（１）の画面上部に表示されている文字は、同図の左から順に、デジタルカメラ１に対して設定されている撮影モードの選択状況（「Ｐ」なる表示は、絞り値及びシャッター速度をデジタルカメラ１自身が自動的に設定するプログラム撮影モードが選択されていることを示している）、絞り値の現在の設定値、シャッター速度の現在の設定値、そしてデジタルカメラ１自身によって設定される露出に対する露出補正値の現在の設定値を各々示している。なお、これらの各文字は、図３における他の画面、及び後述する図４及び図５に示されている各画面でも同様の意味内容を示している。
【００４４】
図３（１）の通常画面が画像モニタ３に表示されているときにＡＦ／ＭＦボタン１０の押下が開始されると、デジタルカメラ１の動作状態が合焦方式設定モードに切り替えられ、画像モニタ３の表示は（２）のＡＦ／ＭＦボタン押下中画面に切り替わる。この（２）の画面は合焦方式の設定を行うための画面である。この画面が表示されているとき、すなわちＡＦ／ＭＦボタン１０の押下を継続させているときにジョグダイアル７が回転操作されると、その回転操作に応じて合焦方式の選択内容がＡＦモード（自動合焦）とＭＦモード（Ｍａｎｕａｌ　Ｆｏｃｕｓ：手動による合焦）とで交互に切り替えられ、また、その選択の状況がＡＦ／ＭＦボタン押下中画面に表示される。
【００４５】
一方、ＡＦ／ＭＦボタン１０の押下を継続させているときに十字キーボタン５が押下されると、画像モニタ３の表示は（２）の画面から（３）のＡＦターゲット中央表示画面へと切り替わる。この画面は前述したスルー画に重畳させて画面の中央部にＡＦターゲット４２が表示されているものである。（３）の画面においてはＡＦターゲット４２の表示位置は（１）の画面におけるターゲットマーク４１の表示位置と一致している。
【００４６】
この（３）の画面を表示させている状態、すなわちＡＦ／ＭＦボタン１０の押下を継続させているときに十字キーボタン５の押下が繰り返されると、押下された十字キーボタン５に示されている方向へＡＦターゲット４２の表示が画面上を移動し、（４）に示すような画面となる。この状態においてＡＦ動作による合焦の対象とされるものはスルー画の中央部の被写体ではなく、このＡＦターゲット４２が指している被写体となる。
【００４７】
なお、（４）のような、ＡＦターゲット４２がスルー画の中央部から移動している画面が表示されている状態でＯＫ／メニューボタン６が押下された場合、すなわちＡＦ／ＭＦボタン１０の押下を継続させているときにＯＫ／メニューボタン６が押下された場合には、ＡＦターゲット４２の位置は（３）の画面における位置、すなわち元の状態である画面の中央部へ戻る。
【００４８】
また、（３）または（４）の画面を表示させている状態においてジョグダイアル７が回転操作された場合、すなわちＡＦ／ＭＦボタン１０の押下を継続させているときにジョグダイアル７が回転操作されると、画像モニタ３の表示は（２）のＡＦ／ＭＦボタン押下中画面に切り替わり、合焦方式の選択が行なわれる。
【００４９】
なお、（２）、（３）、または（４）の画面を表示させている状態においてＡＦ／ＭＦボタン１０の押下を中止した場合には、デジタルカメラ１の動作は合焦方式設定モードでの動作から元の撮影動作可能状態での動作へと切り替えられ、画像モニタ３の表示は（１）の通常画面の表示へと戻る。なお、このときにＡＦターゲット４２を画面の中央から移動させていたときには、この（１）の通常画面においてＡＦターゲット４２が表示される。
【００５０】
なお、（２）のＡＦ／ＭＦボタン押下中画面においてＭＦモードが選択されたときには、ＡＦ／ＭＦボタン１０の押下を継続させているときに十字キーボタン５が押下されてもＡＦターゲット４２の表示位置は画面上を移動することはなく、そのままの位置を保持する。
【００５１】
次に、このデジタルカメラ１においてスポットボタン１１が操作されたときの動作について更に説明する。図４にはスポットボタン１１が操作されたとき画像モニタ３の表示が変化する様子が示されている。
図４において、（１）は、図３の（１）と同一の通常画面の表示を示している。直ちに撮影動作が行えるようにデジタルカメラ１の動作状態の設定がされているときには、図４（１）の画面が表示されている状態では、スルー画におけるこのターゲットマーク４１の部分を対象としたスポット測光が行われる。例えばＡＥ機能を動作させているときにはこの測光値に基づいた露出の設定が自動的に行われる。
【００５２】
図４（１）の通常画面が画像モニタ３に表示されているときにスポットボタン１１の押下が開始されると、デジタルカメラ１の動作状態が測光方式設定モードに切り替えられ、画像モニタ３の表示は（２）のスポットボタン押下中画面に切り替わる。この（２）の画面は測光方式の設定を行うための画面である。この画面が表示されているとき、すなわちスポットボタン１１の押下を継続させているときにジョグダイアル７が回転操作されると、その回転操作に応じて測光方式の選択内容としてスポット測光モード、マルチ測光モード、ＥＳＰ測光モードのいずれかがサイクリックに切り替えられ、また、その選択の状況がスポットボタン押下中画面に表示される。ここで、スポット測光モードとは前述したように撮像画像における指定された部分の範囲の測光を行う測光方式、マルチ測光モードとは、撮影者の操作によりスポット測光を複数回行い、その測光を行ってその平均値を以って測光結果とする測光方式、ＥＳＰ（Ｅｌｅｃｔｒｏ　Ｓｅｌｅｃｔｉｖｅ　Ｐａｔｔｅｒｎ）測光モードとは、撮像画像の中心部と周辺部との測光値に対して所定の演算を施し、その演算結果を以って測光結果とする測光方式である。
【００５３】
一方、スポットボタン１１の押下を継続させているときに十字キーボタン５が押下されると、画像モニタ３の表示は（２）の画面から（３）の測光ターゲット中央表示画面へと切り替わる。この画面は前述したスルー画に重畳させて画面の中央部に測光ターゲット４３が表示されているものである。（３）の画面においては測光ターゲット４３の表示位置は（１）の画面におけるターゲットマーク４１の表示位置と一致している。
【００５４】
この（３）の画面を表示させている状態、すなわちスポットボタン１１の押下を継続させているときに十字キーボタン５の押下が繰り返されると、押下された十字キーボタン５に示されている方向へ測光ターゲット４３の表示が画面上を移動し、（４）に示すような画面となる。この状態において測光の対象とされるものはスルー画の中央部分ではなく、この測光ターゲット４３が指しているスルー画の部分領域となる。
【００５５】
なお、（４）のような、測光ターゲット４３がスルー画の中央部から移動している画面が表示されている状態でＯＫ／メニューボタン６が押下された場合、すなわちスポットボタン１１の押下を継続させているときにＯＫ／メニューボタン６が押下された場合には、測光ターゲット４３の位置は（３）の画面における位置、すなわち元の状態である画面の中央部へ戻る。
【００５６】
また、（３）または（４）の画面を表示させている状態においてジョグダイアル７が回転操作された場合、すなわちスポットボタン１１の押下を継続させているときにジョグダイアル７が回転操作されると、画像モニタ３の表示は（２）のスポットボタン押下中画面に切り替わり、測光方式の選択が行なわれる。
【００５７】
なお、（２）、（３）、または（４）の画面を表示させている状態においてスポットボタン１１の押下を中止した場合には、デジタルカメラ１の動作は測光方式設定モードでの動作から元の撮影動作可能状態での動作へと切り替えられ、画像モニタ３の表示は（１）の通常画面の表示へと戻る。なお、このときに測光ターゲット４３を画面の中央から移動させていたときには、この（１）の通常画面において測光ターゲット４３が表示される。
【００５８】
なお、（２）のスポットボタン押下中画面においてＥＳＰ測光モードが選択されたときには、スポットボタン１０の押下を継続させているときに十字キーボタン５が押下されても測光ターゲット４３の表示位置は画面上を移動することはなく、そのままの位置を保持する。
【００５９】
次に、このデジタルカメラ１において露出補正ボタン１２が操作されたときの動作について更に説明する。図５には露出補正ボタン１２が操作されたとき画像モニタ３の表示が変化する様子が示されている。
図５において、（１）は、ヒストグラム表示画面の表示を示している。ヒストグラム表示画面を表示させるようにデジタルカメラ１の動作状態が設定されるとこの画面が画像モニタ３に表示される。
【００６０】
この画面に表示されるヒストグラムの表示例を図６に示す。このヒストグラムの横軸は輝度値、縦軸は同一の輝度値である画素数をそれぞれ示している。また、同図において白抜き表示で示されているヒストグラムはスルー画全体についての輝度分布であり、このヒストグラムに重ねて描かれている黒色のヒストグラムは、後述するヒストグラムターゲット４４が指しているスルー画の部分領域についての輝度分布である。
【００６１】
なお、図５（１）の画面上部に表示されている文字のうち、デジタルカメラ１に対して設定されている撮影モードの選択状況が「Ａ」なる表示となっているが、これはユーザが設定した絞り値に基づいてデジタルカメラ１自身がシャッター速度を自動的に設定する絞り優先モードが選択されていることを示している。また、絞り値の現在の設定値の表示が白抜き網掛け表示となっているが、この表示はユーザがジョグダイアル７を回転操作することによってこの絞り値の設定を変更できる状態にあることを示している。
【００６２】
図５（１）のヒストグラム表示画面が画像モニタ３に表示されているときに露出補正ボタン１２の押下が開始されると、デジタルカメラ１の動作状態が露出補正値設定モードに切り替えられ、画像モニタ３の表示は（２）の露出補正ボタン押下中画面に切り替わる。この（２）の画面は画面上部に表示されている文字のうち露出補正値の表示が白抜き網掛け表示となっており、露出補正値の設定変更を行うことができることを示している。この画面が表示されているとき、すなわち露出補正ボタン１２の押下を継続させているときにジョグダイアル７が回転操作されると、その回転操作に応じて露出補正値の設定が変更され、その変更後の値が表示される。
【００６３】
一方、露出補正ボタン１２の押下を継続させているときに十字キーボタン５が押下されると、画像モニタ３の表示は（２）の画面から（３）のヒストグラムターゲット中央表示画面へと切り替わる。この画面は前述したスルー画に重畳させて画面の中央部にヒストグラムターゲット４４が表示されているものである。（３）の画面においてはヒストグラムターゲット４４の表示位置は（１）の画面におけるターゲットマーク４１の表示位置と一致している。
【００６４】
この（３）の画面を表示させている状態、すなわち露出補正ボタン１２の押下を継続させているときに十字キーボタン５の押下が繰り返されると、押下された十字キーボタン５に示されている方向へヒストグラムターゲット４４の表示が画面上を移動し、（４）に示すような画面となる。この状態においてはこのヒストグラムターゲット４４が指しているスルー画の部分領域がヒストグラム表示におけるヒストグラムターゲット部分の輝度分布の分析対象となる。
【００６５】
なお、（４）のような、ヒストグラムターゲット４４がスルー画の中央部から移動している画面が表示されている状態でＯＫ／メニューボタン６が押下された場合、すなわち露出補正ボタン１２の押下を継続させているときにＯＫ／メニューボタン６が押下された場合には、ヒストグラムターゲット４４の位置は（３）の画面における位置、すなわち元の状態である画面の中央部へ戻る。
【００６６】
また、（３）または（４）の画面を表示させている状態においてジョグダイアル７が回転操作された場合、すなわち露出補正ボタン１２の押下を継続させているときにジョグダイアル７が回転操作されると、画像モニタ３の表示は（２）の露出補正ボタン押下中画面に切り替わり、露出補正値の設定の変更が行なわれる。
【００６７】
なお、（２）、（３）、または（４）の画面を表示させている状態において露出補正ボタン１２の押下を中止した場合には、デジタルカメラ１の動作は測光方式設定モードでの動作から元の撮影動作可能状態での動作へと切り替えられ、画像モニタ３の表示は（１）の通常画面の表示へと戻る。なお、このときに露出補正ターゲット４４を画面の中央から移動させていたときには、この（１）の通常画面において露出補正ターゲット４４が表示される。
【００６８】
ＡＦ／ＭＦボタン１０、スポットボタン１１、及び露出補正ボタン１２が各々操作されたときにはデジタルカメラ１は以上のように動作する。
次に、上述した動作を実現させるために、デジタルカメラ１のＣＰＵ２８によって行われる制御処理について説明する。
【００６９】
まず図７について説明する。同図は、十字キーボタン５に対する押下操作がＣＰＵ２８によって検出されたときにＣＰＵ２８によって行われる制御処理の処理内容を示すフローチャートである。
まず、Ｓ１０１においてＡＦ／ＭＦボタン１０に対する押下操作が継続しているか否かが判定され、この判定結果がＹｅｓならばＳ１０２に、ＮｏならばＳ１０４に、それぞれ処理が進む。
【００７０】
Ｓ１０２では、合焦方式の設定がＡＦモードとされているか否かが判定され、この判定結果がＹｅｓならば、Ｓ１０３において情報表示処理部３１に指示を与え、画像モニタ３に表示されているＡＦターゲット４２を押下操作された十字キーボタン５の示している方向へと移動させて表示させ、その後はこの制御処理を終了させる。一方、Ｓ１０２の判定結果がＮｏ、すなわち合焦方式の設定がＭＦモードに設定されていたのであれば、Ｓ１０３の処理を行うことなくこの制御処理を終了させる。従って、この場合にはＡＦターゲット４２は移動せず、このときの位置に留まっている。
【００７１】
Ｓ１０４ではスポットボタン１１に対する押下操作が継続しているか否かが判定され、この判定結果がＹｅｓならばＳ１０５に、ＮｏならばＳ１０７に、それぞれ処理が進む。
Ｓ１０５では、測光方式の設定がスポット測光モードまたはマルチ測光モードとされているか否かが判定され、この判定結果がＹｅｓならば、Ｓ１０６において情報表示処理部３１に指示を与え、画像モニタ３に表示されている測光ターゲット４３を押下操作された十字キーボタン５の示している方向へと移動させて表示させ、その後はこの制御処理を終了させる。一方、Ｓ１０５の判定結果がＮｏ、すなわち測光方式の設定がＥＳＰ測光モードに設定されていたのであれば、Ｓ１０６の処理を行うことなくこの制御処理を終了させる。従って、この場合には測光ターゲット４３は移動せず、このときの位置に留まっている。
【００７２】
Ｓ１０７では露出補正ボタン１２に対する押下操作が継続しているか否かが判定され、この判定結果がＹｅｓならばＳ１０８に、ＮｏならばＳ１１２に、それぞれ処理が進む。
Ｓ１０８では画像モニタ３に前述したヒストグラム表示画面を表示させているか否かが判定され、この判定結果がＹｅｓならば、Ｓ１０９に処理が進む、一方、この判定結果がＮｏならば、Ｓ１０９からＳ１１１にかけての処理を行うことなくこの制御処理を終了させる。
【００７３】
Ｓ１０９では情報表示処理部３１に指示を与え、画像モニタ３に表示されているヒストグラムターゲット４４を押下操作された十字キーボタン５の示している方向へと移動させて表示させる。
Ｓ１１０では情報表示処理部３１に指示を与え、映像処理部２４での処理によって得られたスルー画の全体画面についての輝度分布を示すヒストグラムを画像モニタ３に表示させる。
【００７４】
Ｓ１１１では情報表示処理部３１に指示を与え、映像処理部２４での処理によって得られたスルー画におけるヒストグラムターゲット４４の部分の領域についての輝度分布を示すヒストグラムを画像モニタ３に表示させる。その後はこの制御処理を終了させる。
【００７５】
Ｓ１１２では、十字キーボタン５に対する押下操作に応じて行われる他の処理、例えばメニュー画面表示時におけるカーソルの移動処理や数値設定時における設定値のアップダウン処理などが行なわれ、その後はこの制御処理を終了させる。
【００７６】
以上までの処理が十字キーボタン５に対する押下操作に応じてＣＰＵ２８によって行われる制御処理である。
次に図８について説明する。同図は、ジョグダイアル７に対する回転操作がＣＰＵ２８によって検出されたときにＣＰＵ２８によって行われる制御処理の処理内容を示すフローチャートである。
【００７７】
まず、Ｓ２０１においてＡＦ／ＭＦボタン１０に対する押下操作が継続しているか否かが判定され、この判定結果がＹｅｓならば、Ｓ１０２において合焦方式の選択内容がＡＦモードとＭＦモードとの間で回転操作に応じて切り替えられてその選択の状況が画像モニタ３に表示され、その後はこの制御処理を終了させる。
【００７８】
一方、Ｓ２０１の判定結果がＮｏならば、Ｓ２０３においてスポットボタン１１に対する押下操作が継続しているか否かが判定され、この判定結果がＹｅｓならば、Ｓ２０４において測光方式の選択内容が回転操作に応じてスポット測光モード、マルチ測光モード、ＥＳＰ測光モードのいずれかに切り替えられてその選択の状況が画像モニタ３に表示され、その後はこのこの制御処理を終了させる。
【００７９】
一方、Ｓ２０３の判定結果がＮｏならば、Ｓ２０５において露出補正ボタン１２に対する押下操作が継続しているか否かが判定され、この判定結果がＹｅｓならば、Ｓ２０６において露出補正値の設定がその回転操作に応じて変更されてその設定の状況が画像モニタ３に表示され、その後はこの制御処理を終了させる。
【００８０】
一方、Ｓ２０５の判定結果がＮｏならば、Ｓ２０７においてジョグダイアル７に対する回転操作に応じて行われる他の処理、例えば絞り値の設定やメニュー画面表示時におけるメニュー一覧のスクロール処理等が行われ、この制御処理を終了させる。
【００８１】
以上までの処理がジョグダイアル７に対する回転操作に応じてＣＰＵ２８によって行われる制御処理である。
次に図９について説明する。同図は、ＯＫ／メニューボタン６に対する押下操作がＣＰＵ２８によって検出されたときにＣＰＵ２８によって行われる制御処理の処理内容を示すフローチャートである。
【００８２】
まず、Ｓ３０１においてＡＦ／ＭＦボタン１０に対する押下操作が継続しているか否かが判定され、この判定結果がＹｅｓならばＳ３０２に、ＮｏならばＳ３０４に、それぞれ処理が進む。
Ｓ３０２では画像モニタ３でＡＦターゲット４２を表示させている状態にあるか否かが判定され、この判定結果がＹｅｓならば、Ｓ３０３において情報表示処理部３１に指示を与え、ＡＦターゲット４２の表示位置をリセットして初期位置である画像モニタ３の表示画面の中心部分へと移動させる。その後はこの制御処理を終了させる。一方、Ｓ３０２の判定結果がＮｏであれば、Ｓ３０３の処理を行うことなくこの制御処理を終了させる。
【００８３】
Ｓ３０４ではスポットボタン１１に対する押下操作が継続しているか否かが判定され、この判定結果がＹｅｓならばＳ３０５に、ＮｏならばＳ３０７に、それぞれ処理が進む。
Ｓ３０５では画像モニタ３で測光ターゲット４３を表示させている状態にあるか否かが判定され、この判定結果がＹｅｓならば、Ｓ３０６において情報表示処理部３１に指示を与え、測光ターゲット４３の表示位置をリセットして初期位置である画像モニタ３の表示画面の中心部分へと移動させる。その後はこの制御処理を終了させる。一方、Ｓ３０５の判定結果がＮｏであれば、Ｓ３０６の処理を行うことなくこの制御処理を終了させる。
【００８４】
Ｓ３０７では露出補正ボタン１２に対する押下操作が継続しているか否かが判定され、この判定結果がＹｅｓならばＳ３０８に、ＮｏならばＳ３１０に、それぞれ処理が進む。
Ｓ３０８では画像モニタ３でヒストグラムターゲット４４を表示させている状態にあるか否かが判定され、この判定結果がＹｅｓならば、Ｓ３０９において情報表示処理部３１に指示を与え、ヒストグラムターゲット４４の表示位置をリセットして初期位置である画像モニタ３の表示画面の中心部分へと移動させる。その後はこの制御処理を終了させる。一方、Ｓ３０８の判定結果がＮｏであれば、Ｓ３０９の処理を行うことなくこの制御処理を終了させる。
【００８５】
Ｓ３１０では、ＯＫ／メニューボタン６に対する押下操作に応じて行われる他の処理、例えばメニュー画面表示時における設定変更の確定処理などが行なわれ、その後はこの制御処理を終了させる。
以上までの処理がＯＫ／メニューボタン６に対する押下操作に応じてＣＰＵ２８によって行われる制御処理である。
【００８６】
これらの図７、図８、図９に示した制御処理をＣＰＵ２８が行うことによって、ＡＦ／ＭＦボタン１０、スポットボタン１１、及び露出補正ボタン１２が各々操作されたときにおけるデジタルカメラの前述した動作が実現される。
次に、デジタルカメラ１にジョグダイアル７が装備されていない場合の実施例を説明する。
【００８７】
この場合に合焦方式の選択を行うには、ＡＦ／ＭＦボタン１０の押下が検出される度（十字キーボタン５またはＯＫ／メニューボタン６とＡＦ／ＭＦボタン１０との同時押下がなされることなくＡＦ／ＭＦボタン１０の押下の終了が検出される度）に合焦方式の選択をＡＦモードとＭＦモードとの間で交互に切り替える制御をＣＰＵ２８に行わせるようにする。
【００８８】
また、この場合に測光方式の選択を行うには、スポットボタン１１の押下が検出される度（十字キーボタン５またはＯＫ／メニューボタン６とスポットボタン１１との同時押下がなされることなくスポットボタン１１の押下の終了が検出される度）に測光方式の選択を例えばスポット測光モード、マルチ測光モード、ＥＳＰ測光モードの順にサイクリックに切り替える制御をＣＰＵ２８に行わせるようにする。
【００８９】
また、この場合にヒストグラムの画像モニタ３への表示を行うには、図１には示されていないヒストグラムボタンなるボタンスイッチをデジタルカメラ１に設け、このヒストグラムボタンの押下が検出される度（十字キーボタン５またはＯＫ／メニューボタン６とヒストグラムボタンとの同時押下がなされることなくヒストグラムボタンの押下の終了が検出される度）にヒストグラムの表示／非表示を切り替え、十字キーボタン５とヒストグラムボタンとの同時押下では押下された十字キーボタン５に示されている方向へヒストグラムターゲット４４の表示を移動させ、ＯＫ／メニューボタン６とヒストグラムボタンとの同時押下ではヒストグラムターゲット４４の位置を元の状態である画面の中央部へ戻るようにする制御をＣＰＵ２８に行わせるようにする。
【００９０】
このような構成とすればジョグダイアル７を装備しないデジタルカメラ１であっても様々な機能についてその対象とする撮影画像上の領域の設定を良好な操作性の下で行えるようにすることができる。
なお、いままでに説明したＡＦターゲット４２、測光ターゲット４３、及びヒストグラムターゲット４４の各ターゲットの移動範囲は、画像モニタ３に表示されている撮像画像上の全体としていたが、画像モニタ３に同時に表示される他の情報表示の視認性を考慮し、図１０（ａ）に示すように、画面の外周部を除いた内部の範囲に限定してもよい。また、各ターゲットの画像上の位置を図１０（ｂ）に示すような予め定められている複数の位置からの選択により設定するようにしてもよい。
【００９１】
また、これらの各ターゲットの位置の設定は、前述した実施形態においては各々独立して設定するようにしていたが、各ターゲットに位置の移動についての優先度を設け、優先度の高いターゲットの位置を移動させたときにはその移動先の位置に優先度の低いターゲットも移動するようにしてもよい。
【００９２】
例えば、優先度の高い方からＡＦターゲット４２、測光ターゲット４３、ヒストグラムターゲット４４の順に優先度が設定された場合では、ＡＦターゲット４２を前述した操作によって移動させるとその移動後の位置に測光ターゲット４３及びヒストグラムターゲット４４も位置させる。一方、測光ターゲット４３を前述した操作によって移動させるとその移動後の位置にヒストグラムターゲット４４を位置させるが、ＡＦターゲット４２は移動させない。
【００９３】
このようにすることにより、各ターゲットを同一の位置に移動させるときの操作を少なくすることができる。
なお、ＯＫ／メニューボタン６の押下操作に応じた各ターゲットの位置のリセットについて、前述した実施形態においては画像モニタ３の中央部を初期位置としてその位置へ戻るようにしていたが、この各ターゲットの戻り位置について優先度を設け、優先度の低いターゲットの戻り位置を優先度の高いターゲットの現在位置とするようにしてもよい。
【００９４】
例えば、優先度の高い方からＡＦターゲット４２、測光ターゲット４３、ヒストグラムターゲット４４の順に優先度が設定された場合では、ＯＫ／メニューボタン６の前述した押下操作によってＡＦターゲット４２の位置のリセットが指示されたときにはＡＦターゲット４２を画像モニタ３の中央部の位置へ戻し、ＯＫ／メニューボタン６の前述した押下操作によって測光ターゲット４３の位置のリセットが指示されたときには測光ターゲット４３をＡＦターゲット４２の現在の位置に移動させ、ＯＫ／メニューボタン６の前述した押下操作によってヒストグラムターゲット４４の位置のリセットが指示されたときにはヒストグラムターゲット４４を測光ターゲット４３の現在の位置に移動させるようにする。
【００９５】
また、このとき、測光ターゲット４３とヒストグラムターゲット４４とが同一の位置にある場合にＯＫ／メニューボタン６の前述した押下操作によって測光ターゲット４３の位置のリセットが指示されたときには、測光ターゲット４３及びヒストグラムターゲット４４を共にＡＦターゲット４２の現在の位置に移動させるようにしてもよい。更に、ＡＦターゲット４２、測光ターゲット４３、ヒストグラムターゲット４４が全て同一の位置にある場合にＯＫ／メニューボタン６の前述した押下操作によってＡＦターゲット４２の位置のリセットが指示されたときには、これら３つのターゲットを全て共に画像モニタ３の中央部の位置へ戻すようにしてもよい。
【００９６】
なお、画像モニタ３におけるＡＦターゲット４２、測光ターゲット４３、及びヒストグラムターゲット４４の各々の表示は、異なる色彩、形状、若しくはマークを用いた指標とするなどして視覚により明確に区別できるような表示とすることが望ましい。また、これらの各ターゲットの表示は、同一画面に同時に表示するようにしてもよい。なお、各ターゲットを同一画面に同時に表示する場合には、ターゲットの位置が同一あるいは近傍に位置しているときでも明確に識別できるようにすることが望ましい。また、例えばＡＦターゲット４２と測光ターゲット４３とが同一位置に位置しているときにはＡＦターゲット４２を示す指標のみを画像モニタ３に表示し、測光ターゲット４３とヒストグラムターゲット４４とが同一位置に位置しているときには測光ターゲット４３を示す指標のみを画像モニタ３に表示するようにしてもよい。
【００９７】
また、前述したヒストグラム表示画面は、この画面を表示させるようにデジタルカメラ１の動作状態が設定されると画像モニタ３に表示されるようにしていたが、露出補正ボタン１２と十字キーボタン５との同時押下により表示を開始させ、露出補正ボタン１２の押下が継続している期間はこのヒストグラム表示画面の表示を継続させ、露出補正ボタン１２の押下が終了したときにこのヒストグラム表示画面の表示を終了させるようにしてもよい。また、ヒストグラム表示画面の表示を終了させたときには、ヒストグラムターゲット４４の位置を元の初期位置、例えば画像モニタ３の中央部へ戻すようにしてもよい。
【００９８】
なお、ここではデジタルカメラでの実施形態についての説明を行ったが、本発明をいわゆる銀塩カメラで実施することも勿論可能である。
その他、本発明は、上述した実施形態に限定されることなく、種々の改良・変更が可能である。
【００９９】
【発明の効果】
以上詳細に説明したように、本発明に係るカメラは、該カメラに備えられている機能毎に対応付けて個別に設けられていて該機能の動作方式の選択をするために操作される機能選択手段と、移動の指示を行なうために操作される移動指示手段とが同時に操作されたときには、表示手段に表示させている画像を構成する一部分の領域であって機能選択手段に対する操作に基づいて選択がされた動作方式に関係する該領域についての位置を示す表示を該画像上で移動させるようにしたので、様々な機能毎にその対象とする撮影画像上の領域の設定を良好な操作性の下で行うことができるという効果を奏する。
【図面の簡単な説明】
【図１】本発明を実施するデジタルカメラの外観図である。
【図２】図１に示したデジタルカメラの内部構成を示す図である。
【図３】ＡＦ／ＭＦボタンへの操作によって画像モニタの表示が変化する様子を示す図である。
【図４】スポットボタンへの操作によって画像モニタの表示が変化する様子を示す図である。
【図５】露出補正ボタンへの操作によって画像モニタの表示が変化する様子を示す図である。
【図６】ヒストグラムの表示例を示す図である。
【図７】十字キーボタンに対する操作が検出されたときに行われる制御処理の処理内容を示すフローチャートである。
【図８】ジョグダイアルに対する操作が検出されたときに行われる制御処理の処理内容を示すフローチャートである。
【図９】ＯＫ／メニューボタンに対する操作が検出されたときに行われる制御処理の処理内容を示すフローチャートである。
【図１０】各ターゲットの位置の設定例を示す図である。
【符号の説明】
１　デジタルカメラ
２　コントロールパネル
３　画像モニタ
４　モニタ切替ボタン
５　十字キーボタン
６　ＯＫ／メニューボタン
７　ジョグダイアル
８　レリーズボタン
９　鏡胴
１０　ＡＦ／ＭＦボタン
１１　スポットボタン
１２　露出補正ボタン
２１　撮影レンズ
２２　ＣＤＤ
２３　Ａ／Ｄ変換部
２４　映像処理部
２５　圧縮／伸張処理部
２６　メモリカード
２７　画像表示処理部
２８　ＣＰＵ
２９　操作入力部
３０　ＡＥ処理部
３１　情報表示処理部
【図１】
2004080477.tif 000003
【図２】
2004080477.tif 000004
【図３】
2004080477.tif 000005
【図４】
2004080477.tif 000006
【図５】
2004080477.tif 000007
【図６】
2004080477.tif 000008
【図７】
2004080477.tif 000009
【図８】
2004080477.tif 000010
【図９】
2004080477.tif 000011
【図１０】
2004080477.tif 000012